(57)【要約】【課題】製作や、テーブルのセットに掛かるコストを抑制できるとともに、招待客がメニューやメッセージを簡単に見ることができる収納ケース付きの席札を提案すること。【解決手段】席札１Ａは、収納ケース２Ａとカバーシート３Ａを備える。カバーシート３Ａは収納ケース２Ａの開閉蓋５の内側面５ｂから外側面５ｄを経由して収納ケース２Ａのケース本体２０の外周面２ａに至るように収納ケース２Ａに巻き付けられている。カバーシート３Ａにおいて開閉蓋５の内側面５ｂを覆う領域にはメッセージ表示部６が形成され、外側面５ｄを覆う領域にはゲスト名表示部７が形成され、ケース本体２０を覆う領域にはメニュー表示部９が形成されている。各表示部６〜９はカバーシート３Ａの一面に形成されるので、印刷が容易であり、製作コストが抑制される。また、招待客は開閉蓋５を開けるだけでメッセージが読め、席札１Ａの向きを変えるだけでメニューが読める。【選択図】図１
2010188619.tif 000002
【特許請求の範囲】
【請求項１】
記念品などの物品を収納可能な収納ケースと、前記収納ケースに巻き付けた情報表示用のカバーシートとを有し、
前記収納ケースは、物品収納・取り出し用の開口部と、この開口部を封鎖している開閉蓋とを備え、当該開閉蓋は一方の縁端を中心として開閉可能であり、
前記カバーシートは、前記開閉蓋の内側面から当該開閉蓋の開閉側の縁端で外側に折り曲げられて前記開閉蓋の外側面を経由して前記収納ケースの本体側の外周面に至るように、前記収納ケースに巻き付けられており、
前記カバーシートにおいて、前記開閉蓋の内側面を覆っているシート部分には招待客へのメッセージを表示するメッセージ表示部が形成されており、前記開閉蓋の外側面を覆っているシート部分には招待客を表すゲスト名を表示するゲスト名表示部が形成されており、前記収納ケースの本体側の外周面を覆っているシート部分には、提供される料理のメニューを表示するメニュー表示部およびパーティ名を表示するパーティ名表示部のうち少なくとも前記メニュー表示部が形成されていることを特徴とする席札。
【請求項２】
請求項１に記載の席札において、
前記収納ケースは、ケース本体と、このケース本体に貼り付けた貼り付け板とを備えており、
前記ケース本体は、底板部分と、この底板部分から起立している所定の閉鎖形状をした一定高さの外周枠板部分とを備え、当該外周枠板部分の上端が前記開口部となっており、
前記貼り付け板は、前記底板部分の裏面を覆い隠す状態に貼り付けた背面板部分と、当該背面板部分の端から折り曲げられて前記外周枠板部分の一部を覆い隠す状態に貼り付けた側板部分と、当該側板部分の端から折り曲げられて前記開口部を覆い隠す状態に配置されている表面板部分とを備えており、当該表面板部分が前記開閉蓋であり、
前記カバーシートは、前記貼り付け板の前記背面板部分の表面と、前記側板部分の表面と、前記表面板部分の表面および裏面とを覆い隠す状態に配置されていることを特徴とする席札。
【請求項３】
請求項１に記載の席札において、
前記収納ケースは、所定の閉鎖形状をした一定幅の枠板と、この枠板に貼り付けた貼り付け板とを備えており、
前記貼り付け板は、前記枠板の下端開口を覆い隠す状態に当該枠板の下端面に貼り付けた背面板部分と、この背面板部分の端から折り曲げられて前記枠板の一部を覆い隠す状態に当該枠板の部分に貼り付けた側板部分と、この側板部分の端から折り曲げられて前記枠板の上端開口を覆い隠す状態に配置されている表面板部分とを備え、当該表面板部分が前記開閉蓋であり、
前記カバーシートは、前記貼り付け板の前記背面板部分の表面と、前記側板部分の表面と、前記表面板部分の表面および裏面とを覆い隠す状態に配置されていることを特徴とする席札。
【請求項４】
請求項２または３に記載の席札において、
前記収納ケースは一定深さの正多角形柱、円柱あるいは楕円柱状のものであり、
前記カバーシートにおける前記貼り付け板の前記背面板部分の表面を覆い隠しているシート部分は前記メニュー表示部であり、前記側板部分の表面を覆い隠している部分は前記パーティ名表示部であることを特徴とする席札。
【請求項５】
請求項２または３に記載の席札において、
前記収納ケースは一定深さの直方体形状のものであり、
前記貼り付け板は、平面に広げた場合の形状が長方形であり、
前記カバーシートは、平面に広げた場合の形状が長方形であり、
前記カバーシートにおける前記貼り付け板の前記背面板部分の表面を覆い隠している部分は前記メニュー表示部であり、前記側板部分の表面を覆い隠している部分は前記パーティ名表示部であることを特徴とする席札。
【請求項６】
記念品などの物品を収納可能な収納ケースを有し、
前記収納ケースは、ケース本体と、このケース本体に貼り付けた貼り付け板とを備えており、
前記ケース本体は、底板部分と、この底板部分から起立している所定の閉鎖形状をした一定高さの外周枠板部分とを備え、当該外周枠板部分の上端が物品収納・取り出し用の開口部となっており、
前記貼り付け板は、前記底板部分の裏面を覆い隠す状態に貼り付けた背面板部分と、当該背面板部分の端から折り曲げられて前記外周枠板部分の一部を覆い隠す状態に貼り付けた側板部分と、当該側板部分の端から折り曲げられて前記開口部を覆い隠す状態に配置されている表面板部分とを備えており、当該表面板部分が一方の縁端を中心として開閉可能な状態で前記開口部を封鎖している開閉蓋となっており、
前記貼り付け板において、前記表面板部分の内側面には招待客へのメッセージを表示するメッセージ表示部が形成されており、前記表面板部分の外側面には招待客を表すゲスト名を表示するゲスト名表示部が形成されており、前記背面板部分から前記側板部分に至る外側面部分には、提供される料理のメニューを表示するメニュー表示部およびパーティ名を表示するパーティ名表示部のうち少なくとも前記メニュー表示部が形成されていることを特徴とする席札。
【発明の詳細な説明】
【技術分野】
【０００１】
本発明は、結婚式の披露宴などのパーティで用いられる席札に関する。より詳細には、招待客に贈呈される記念品を収納可能な収納ケース付きの席札に関する。
【背景技術】
【０００２】
結婚式の披露宴などのパーティでは、招待客はテーブルにセットされている席札に従って着席する。席には料理のメニューが記載されたメニューカードが配られており、招待客はメニューカードを見ながらパーティで提供される料理を楽しむことができる。
【０００３】
近年、席札やメニューカードとともに、テーブル上に記念品やメッセージカードをセットしておいて、招待客を歓迎することも行われている。特許文献１、２には、記念品を収納することができるケースの表面に招待客の名前を付しておき、これをテーブルにセットすることにより席札としたものが記載されている。引用文献１の席札では、ケースの中にメニューやメッセージが記載されているカードを収納するようになっている。特許文献２の席札では、ケースの裏面に簡単なメッセージが記載されている。
【先行技術文献】
【特許文献】
【０００４】
【特許文献１】特開２００２−８７４６８号公報
【特許文献２】実開昭６１−１９２７７５号公報
【発明の概要】
【発明が解決しようとする課題】
【０００５】
ケースに招待客の名前を記載し、ケースに収納するカードにメニューやメッセージを記載する席札（特許文献１）では、ケースとは別にカードを用意する必要がある。また、カードとケースの双方に別々に印刷を行わなければならないので、席札の製作に掛かる印刷コストが嵩んでしまう。また、主催者が招待客毎に異なるメッセージを送りたい場合には、カードにメッセージを記載した後に、ケースに記載されている招待客の名前を確認しながらカードをケースに収納しなければならないので、席札をテーブルにセットする際の作業コストが嵩んでしまう。さらに、招待客がメニューを確認したりメッセージを読んだりする場合には、カードをケースから取り出す必要があるので、パーティの席上で招待客の手を煩わせてしまう。
【０００６】
一方、ケースの表裏の面に招待客の名前とメッセージを記載した席札（特許文献２）でも、席札とは別にメニューカードを用意する必要がある。また、ケースとメニューカードの双方に対して別々に印刷を行わなければならないので、印刷コストを抑制することが難しい。さらに、席札とメニューカードを共にテーブルにセットしなければならないので、これらをテーブルにセットする際の作業コストが嵩んでしまう。
【０００７】
本発明の課題は、このような点に鑑みて、製作に掛かる印刷コストや、テーブルのセットに掛かる作業コストを抑制できるとともに、招待客が料理のメニューや主催者からのメッセージを簡単に見ることができる収納ケース付きの席札を提案することにある。
【課題を解決するための手段】
【０００８】
上記の課題を解決するために、本発明の席札は、
記念品などの物品を収納可能な収納ケースと、前記収納ケースに巻き付けた情報表示用のカバーシートとを有し、
前記収納ケースは、物品収納・取り出し用の開口部と、この開口部を封鎖している開閉蓋とを備え、当該開閉蓋は一方の縁端を中心として開閉可能であり、
前記カバーシートは、前記開閉蓋の内側面から当該開閉蓋の開閉側の縁端で外側に折り曲げられて前記開閉蓋の外側面を経由して前記収納ケースの本体側の外周面に至るように、前記収納ケースに巻き付けられており、
前記カバーシートにおいて、前記開閉蓋の内側面を覆っているシート部分には招待客へのメッセージを表示するメッセージ表示部が形成されており、前記開閉蓋の外側面を覆っているシート部分には招待客を表すゲスト名を表示するゲスト名表示部が形成されており、前記収納ケースの本体側の外周面を覆っているシート部分には、提供される料理のメニューを表示するメニュー表示部およびパーティ名を表示するパーティ名表示部のうち少なくとも前記メニュー表示部が形成されていることを特徴としている。
【０００９】
本発明の席札は、ゲスト名、メッセージおよびメニューを表示する各表示部を備えているので、メッセージカード、メニューカードなどを別途用意する必要がない。従って、これらのカードに掛かるコストや、これらのカードをテーブルにセットするための作業コストを削減できる。また、収納ケースに巻き付けたカバーシートの表面に、ゲスト名、メッセージおよびメニューを表示する各表示部が形成されている。したがって、カバーシートを収納ケースに巻き付ける前の広げた状態において、その表面に各情報を簡単に印刷することができるので便利である。さらに、招待客毎にメッセージを変える場合には、これらの組み合わせが一枚のカバーシートに印刷されるので、組み合わせを間違えて配布してしまうことがない。
【００１０】
また、メッセージ表示部は、カバーシートにおいて開閉蓋の内側面を覆っている領域に形成されているので、招待客は開閉蓋を開くだけでメッセージを読むことができ、同時に、収納ケースに収納されている記念品も見ることができる。メッセージや記念品は、招待客が開閉蓋を開けないと見ることができないので、特定の招待客だけに送ったメッセージや記念品が、同席している他の招待客の目に触れてしまうこともない。さらに、メニュー表示部は、カバーシートにおいて収納ケースの外周面を覆っている領域に形成されているので、招待客は席札を裏返すなどの簡単な操作によりメニューを見ることができる。
【００１１】
本発明において、席札を簡易に構成するためには、前記収納ケースは、ケース本体と、このケース本体に貼り付けた貼り付け板とを備えており、前記ケース本体は、底板部分と、この底板部分から起立している所定の閉鎖形状をした一定高さの外周枠板部分とを備え、当該外周枠板部分の上端が前記開口部となっており、前記貼り付け板は、前記底板部分の裏面を覆い隠す状態に貼り付けた背面板部分と、当該背面板部分の端から折り曲げられて前記外周枠板部分の一部を覆い隠す状態に貼り付けた側板部分と、当該側板部分の端から折り曲げられて前記開口部を覆い隠す状態に配置されている表面板部分とを備えており、当該表面板部分が前記開閉蓋であり、前記カバーシートは、前記貼り付け板の前記背面板部分の表面と、前記側板部分の表面と、前記表面板部分の表面および裏面とを覆い隠す状態に配置されていることが望ましい。
【００１２】
また、席札を簡易に構成するためには、前記収納ケースは、所定の閉鎖形状をした一定幅の枠板と、この枠板に貼り付けた貼り付け板とを備えており、前記貼り付け板は、前記枠板の下端開口を覆い隠す状態に当該枠板の下端面に貼り付けた背面板部分と、この背面板部分の端から折り曲げられて前記枠板の一部を覆い隠す状態に当該枠板の部分に貼り付けた側板部分と、この側板部分の端から折り曲げられて前記枠板の上端開口を覆い隠す状態に配置されている表面板部分とを備え、当該表面板部分が前記開閉蓋であり、前記カバーシートは、前記貼り付け板の前記背面板部分の表面と、前記側板部分の表面と、前記表面板部分の表面および裏面とを覆い隠す状態に配置されていてもよい。
【００１３】
本発明において、前記収納ケースは一定深さの正多角形柱、円柱あるいは楕円柱状のものであり、前記カバーシートにおける前記貼り付け板の前記背面板部分の表面を覆い隠しているシート部分は前記メニュー表示部であり、前記側板部分の表面を覆い隠している部分は前記パーティ名表示部とすることができる。
【００１４】
また、本発明において、席札の外観をハードカバーの書籍のようにするためには、前記収納ケースは一定深さの直方体形状のものであり、前記貼り付け板は、平面に広げた場合の形状が長方形であり、前記カバーシートは、平面に広げた場合の形状が長方形であり、前記カバーシートにおける前記貼り付け板の前記背面板部分の表面を覆い隠している部分は前記メニュー表示部であり、前記側板部分の表面を覆い隠している部分は前記パーティ名表示部であることが望ましい。
【００１５】
次に、本発明の席札は、
記念品などの物品を収納可能な収納ケースを有し、
前記収納ケースは、ケース本体と、このケース本体に貼り付けた貼り付け板とを備えており、
前記ケース本体は、底板部分と、この底板部分から起立している所定の閉鎖形状をした一定高さの外周枠板部分とを備え、当該外周枠板部分の上端が物品収納・取り出し用の開口部となっており、
前記貼り付け板は、前記底板部分の裏面を覆い隠す状態に貼り付けた背面板部分と、当該背面板部分の端から折り曲げられて前記外周枠板部分の一部を覆い隠す状態に貼り付けた側板部分と、当該側板部分の端から折り曲げられて前記開口部を覆い隠す状態に配置されている表面板部分とを備えており、当該表面板部分が一方の縁端を中心として開閉可能な状態で前記開口部を封鎖している開閉蓋となっており、
前記貼り付け板において、前記表面板部分の内側面には招待客へのメッセージを表示するメッセージ表示部が形成されており、前記表面板部分の外側面には招待客を表すゲスト名を表示するゲスト名表示部が形成されており、前記背面板部分から前記側板部分に至る外側面部分には、提供される料理のメニューを表示するメニュー表示部およびパーティ名を表示するパーティ名表示部のうち少なくとも前記メニュー表示部が形成されていることを特徴とする。
【００１６】
本発明の席札は、ゲスト名、メッセージおよびメニューを表示する各表示部を備えているので、メッセージカード、メニューカードなどを別途用意する必要がない。従って、これらのカードに掛かるコストや、これらのカードをテーブルにセットするための作業コストを削減できる。また、ケース本体に貼り付けた貼り付け板の内側面と外側面にゲスト名、メッセージおよびメニューを表示する各表示部が形成されている。したがって、貼り付け板をケース本体に貼り付ける前の広げた状態において、その表裏の面に各情報を簡単に印刷することができるので便利である。さらに、招待客毎にメッセージを変える場合には、これらの組み合わせが一枚の貼り付け板に印刷されるので、組み合わせを間違えて配布してしまうことがない。
【００１７】
また、メッセージ表示部は、貼り付け板において開閉蓋の内側面となっている表面板部分の内側面に形成されているので、招待客は開閉蓋を開くだけでメッセージを読むことができ、同時に、収納ケースに収納されている記念品も見ることができる。メッセージや記念品は、招待客が開閉蓋を開けないと見ることができないので、特定の招待客だけに送ったメッセージや記念品が、同席している他の招待客の目に触れてしまうこともない。さらに、メニュー表示部は、貼り付け板においてケース本体の底板部分と外周枠板部分の外側面を覆っている背面板部分および側板部分の外側面に形成されているので、招待客は席札を裏返すなどの簡単な操作によりメニューを見ることができる。
【発明の効果】
【００１８】
本発明によれば、ゲスト名、メッセージおよびメニューを表示する各表示部がカバーシートや貼り付け板に形成されているので、席札の他にメッセージカードやメニューカードを用意してテーブルにセットする必要がない。また、ゲスト名、メッセージおよびメニューの印刷が容易なので、席札の製作に掛かる印刷コストを抑えることができる。
【００１９】
さらに、カバーシートや貼り付け板に形成されているメッセージ表示部は、収納ケースの開閉蓋の内側に位置しているので、招待客は開閉蓋を開くだけでメッセージを読むことができ、同時に、収納ケースに収納されている記念品も見ることができる。また、メッセージや記念品は、招待客が開閉蓋を開けないと見ることができないので、特定の招待客だけに送ったメッセージや記念品が、同席している他の招待客の目に触れてしまうこともない。さらに、メニュー表示部は、収納ケースの外側に位置しているので、招待客は席札を裏返すなどの簡単な操作によりメニューを見ることができる。
【図面の簡単な説明】
【００２０】
【図１】（ａ）は本発明を適用した実施の形態１に係る席札の正面、平面、右側面を示す等角投影図であり、（ｂ）は背面、底面、左側面を示す等角投影図である。
【図２】実施の形態１に係る席札の開閉蓋を開けた状態を示す斜視図である。
【図３】収納ケースの分解斜視図である。
【図４】収納ケースに巻き付ける前の平面上に展開した状態のカバーを示す展開図である。
【図５】（ａ）は実施の形態１の変形例に係る席札の外観斜視図であり、（ｂ）はこの席札の開閉蓋を開けた状態を示す斜視図であり、（ｃ）は収納ケースに巻き付ける前の平面上に展開した状態のカバーを示す展開図である。
【図６】（ａ）は実施の形態２に係る席札の外観斜視図であり、（ｂ）はこの席札の開閉蓋を開けた状態を示す斜視図であり、（ｃ）は収納ケースに巻き付ける前の平面上に展開した状態のカバーを示す展開図である。
【図７】（ａ）は実施の形態３に係る席札の外観斜視図であり、（ｂ）はこの席札の開閉蓋を開けた状態を示す斜視図であり、（ｃ）は収納ケースに巻き付ける前の平面上に展開した状態のカバーを示す展開図である。
【図８】（ａ）はその他の実施の形態に係る席札の正面、平面、右側面を示す等角投影図であり、（ｂ）はその背面、底面、左側面を示す等角投影図であり、（ｃ）は開閉蓋を開けた状態を示す席札の斜視図である。
【図９】（ａ）はケース本体に貼り付ける前の平面上に展開した状態の貼り付け板の上面を示す展開図であり、（ｂ）はその貼り付け板の下面を示す展開図である。
【発明を実施するための形態】
【００２１】
以下に、図面を参照して、本発明を適用した席札の実施の形態を説明する。
【００２２】
［実施の形態１］
図１（ａ）は本発明を適用した実施の形態１に係る席札の正面、平面、右側面を示す等角投影図であり、図１（ｂ）はその背面、底面、左側面を示す等角投影図である。図２は開閉蓋を開けた状態を示す席札の斜視図である。
【００２３】
（全体構成）
図１に示すように、席札１Ａは、収納ケース２Ａと、この収納ケース２Ａに巻きつけられているカバーシート３Ａとを有している。収納ケース２Ａは、上面に矩形板状の開閉蓋５を備えており、開閉蓋５は一方の縁端５ａを中心として開閉可能になっている。収納ケース２Ａの外観はハードカバーの書籍を彷彿させるものであり、開閉蓋５が書籍の表紙に相当する。図２に示すように、開閉蓋５を開くと、物品収納・取り出し用の開口部４が露出する。
【００２４】
カバーシート３Ａは、開閉蓋５の内側面５ｂから、この開閉蓋５の開閉側の縁端５ｃで外側に折り曲げられて開閉蓋５の外側面５ｄを経由して収納ケース２Ａの本体側の外周面２ａに至るように、収納ケース２Ａに巻き付けられている。カバーシート３Ａは書籍を覆うブックカバーのような美感を生じさせている。収納ケース２Ａおよびカバーシート３Ａは紙製である。
【００２５】
カバーシート３Ａにおいて、開閉蓋５の内側面５ｂを覆っている領域には、招待客に宛てたメッセージを表示するメッセージ表示部６が形成されており、開閉蓋５の外側面５ｄを覆っている領域には、招待客を表すゲスト名を表示するゲスト名表示部７が形成されている。また、カバーシート３Ａにおいて、書籍の背表紙に対応する収納ケース２Ａの正面を覆っている領域には、パーティの名称を表示するパーティ名表示部８が形成されており、書籍の裏表紙に相当する収納ケース２Ａの底面を覆っている領域には、パーティで提供される料理のメニューを表示するメニュー表示部９が形成されている。各表示部６〜９には、それぞれ、メッセージ、ゲスト名、パーティ名、メニューが記載されている。
【００２６】
（収納ケース）
図３は収納ケース２Ａの分解斜視図である。収納ケース２Ａは、ケース本体２０と、このケース本体２０に貼り付けた貼り付け板２１とを備えている。ケース本体２０は、矩形の底板部分２２と、この底板部分２２の４辺の周縁から起立している一定高さの外周枠板部分２３とを備えている。貼り付け板２１は、底板部分２２の裏面を覆い隠す状態に貼り付けられる背面板部分２４と、背面板部分２４の端から折り曲げられて外周枠板部分２３の一部を覆い隠す状態に貼り付けられる側板部分２５と、この側板部分２５の端から折り曲げられて開口部４を覆い隠す状態に配置される表面板部分２６とを備えている。
【００２７】
貼り付け板２１は、平面上に広げた場合の形状が長方形であり、背面板部分２４と側板部分２５との間、側板部分２５と表面板部分２６との間には、谷折りの折り曲げ線２７、２８が形成されている。背面板部分２４および表面板部分２６は底板部分２２よりも大きな長方形をしており、背面板部分２４と表面板部分２６とは同一の形状を備えている。側板部分２５は外周枠板部分２３の高さ寸法に対応する長さ寸法を備えた長方形をしている。
【００２８】
背面板部分２４は、３辺の縁部分が底板部分２２から外側にはみ出すようにして底板部分２２の裏面２２ａに接着される。側板部分２５は、外周枠板部分２３において底板部分２２の縁に沿って延びている外側面部分２３ａに接着される。表面板部分２６はケース本体２０の上端開口である開口部４を開閉する開閉蓋５になっている。表面板部分２６は、開口部４を覆い隠している状態では、側板部分２５に連続していない３辺の縁部分が外周枠板部分２３から外側にはみ出すように配置される。収納ケース２Ａをハードカバーの書籍に見立てた場合には、表面板部分２６が表紙となり、側板部分２５が背表紙となり、背面板部分２４が裏表紙となる。
【００２９】
（カバー）
図４は収納ケース２Ａに巻き付ける前の平面上に展開した形状のカバーシート３Ａを示す展開図である。カバーシート３Ａは、長方形をしており、その幅寸法は貼り付け板２１の幅寸法と同一である。カバーシート３Ａの表面には、左側から、接着代１０、メニュー表示部９、パーティ名表示部８、ゲスト名表示部７、メッセージ表示部６が形成されている。
【００３０】
（席札の製作方法）
ここで、図３、４を参照しながら席札１Ａを製作する手順を説明する。まず、カバーシート３Ａのメッセージ表示部６、ゲスト名表示部７、パーティ名表示部８およびメニュー表示部９に、それぞれ、メッセージ、ゲスト名、パーティ名およびメニューを記載する。
【００３１】
次に、カバーシート３Ａの右側のメッセージ表示部６が開閉蓋５となる表面板部分２６の内側面５ｂを覆うようにして、貼り付け板２１に貼り付ける。さらに、カバーシート３Ａを開閉蓋５の開閉側の縁端５ｃとなる表面板部分２６の縁端で外側に折り返し、貼り付け板２１の外周面に貼り付けながら、収納ケース２Ａに巻き付ける。すると、ゲスト名表示部７が開閉蓋５となる表面板部分２６の外側面５ｄを覆い、パーティ名表示部８が側板部分２５の外側面２５ａを覆い、メニュー表示部９が背面板部分２４の外側面２４ａを覆った状態になる。ここで、接着代１０は背面板部分２４の縁端から外側に突出するので、背面板部分２４の内側面２４ｂに向けて折り返して、接着する。
【００３２】
（席札の使用方法）
席札１Ａを使用する際には、収納ケース２Ａに、ナプキン、ハンカチ、石鹸、菓子、玩具、ギフト券、飾り物などの小物を記念品として収納し、開閉蓋５を閉じる。パーティ会場では、開閉蓋５を上に向けた状態にしてテーブルにセットする。或いは、開閉蓋５をテーブルの外周側に向けた状態にしてセットする。
【００３３】
（本形態による効果）
本例の席札１Ａは、ハードカバーの書籍を彷彿させる外観を備えているので、高級感がある。また、テーブルにセットすると、書籍の表紙に相当する場所にゲスト名が記載されているので、ゲスト名が見易く、パーティ会場に到着した招待客が自席を把握しやすい。
【００３４】
また、本例によれば、自席に着いた招待客は、テーブルの上に置かれた書籍の表紙をめくるような自然な動作で開閉蓋５を開いて主催者からのメッセージを読むことができ、同時に、収納ケース２Ａに収納されている記念品を見ることができる。また、メッセージや記念品は、招待客が開閉蓋５を開かなければ見ることができないので、特定の招待客だけに送ったメッセージや記念品が同席している他の招待客の目に触れてしまうこともない。
【００３５】
さらに、招待客が料理のメニューを確認したいときには、メニュー表示部９は、カバーシート３Ａにおいて収納ケース２Ａの外周面２ａを覆っている領域に記載されているので、招待客は席札を裏返すなどの簡単な操作によりメニューを見ることができる。従って、パーティの席上で、招待客の手を煩わせることがない。
【００３６】
また、本例によれば、席札１Ａが、ゲスト名、メッセージおよびメニューを表示する各表示部６〜９を備えているので、席札１Ａの他に、メッセージカードやメニューカードを用意する必要がない。従って、これらのカードに掛かるコストや、これらのカードをテーブルにセットするための作業コストを削減することができる。
【００３７】
さらに、ゲスト名、メッセージおよびメニューを表示する各表示部６〜９は、収納ケース２Ａに巻き付けられているカバーシート３Ａに形成されており、収納ケース２Ａには形成されていない。従って、シート状のカバーシート３Ａに印刷を行うだけで、各表示部６〜９にゲスト名、メッセージおよびメニューを表示することができる。また、収納ケース２Ａに巻き付けたカバーシート３Ａの表面に、ゲスト名、メッセージおよびメニューを表示する各表示部６〜９が形成されている。したがって、カバーシート３Ａを収納ケース２Ａに巻き付ける前の広げた状態において、その表面に各情報を簡単に印刷することができるので便利である。さらに、招待客毎にメッセージを変える場合には、これらの組み合わせが一枚のカバーシート３Ａに印刷されるので、組み合わせを間違えて配布してしまうことがない。
【００３８】
［実施の形態１の変形例］
実施の形態１において、収納ケース２Ａをケース本体２０と貼り付け板２１とから形成する替わりに、矩形の閉鎖形状をした一定幅の枠板と貼り付け板２１とから形成することもできる。この場合には、貼り付け板２１は、背面板部分２４を、枠板の下端開口を覆い隠す状態にして、この枠板の下端面に貼り付ければよい。
【００３９】
また、収納ケースおよびカバーシートを紙製としてあるが、これらの一方または双方をプラスチック製としてもよい。
【００４０】
次に、収納ケースの形状を変更することにより、席札の外観を実施の形態１とは異なるものにしてもよい。収納ケースとしては、例えば、一定深さの正多角形柱、円柱あるいは楕円柱状のものなどを採用できる。
【００４１】
図５（ａ）は実施の形態１の変形例に係る席札の外観斜視図であり、図５（ｂ）はこの席札の開閉蓋を開けた状態を示す斜視図であり、図５（ｃ）は収納ケースに巻き付ける前の平面上に展開した状態のカバーを示す展開図である。なお、実施の形態１と同様の構成には同一の符号を付して、その説明を省略する。
【００４２】
図５（ａ）に示すように、席札１Ｂは、収納ケース２Ｂと、この収納ケース２Ｂに巻きつけられているカバーシート３Ｂとを有している。本例の席札１Ｂは、収納ケース２Ｂを一定深さの円柱状としたものであり、その外観は宝石箱を想起させる。
【００４３】
図５（ｂ）に示すように、収納ケース２Ｂは、ケース本体４０と、貼り付け板４１とを備えている。ケース本体４０は、円形の底板部分４２、および、この底板部分４２の周縁から起立している一定高さの外周枠板部分４３を備えている。貼り付け板４１は、底板部分２２の裏面を覆い隠す状態に貼り付けられている背面板部分４４と、背面板部分４４の端から折り曲げられて外周枠板部分４３の一部分を覆い隠す状態に貼り付けられている側板部分４５と、この側板部分４５の端から折り曲げられて開口部４を覆い隠す状態に配置されている表面板部分４６とを備えている。背面板部分４４および表面板部分４６は底板部分４２よりも大きな円形である。側板部分４５は外周枠板部分４３の高さ寸法に対応する長さ寸法を備えた長方形である。
【００４４】
背面板部分４４は、その外周の一部分が底板部分４２の外周の一部分と重ねられるようにして底板部分４２の裏面４２ａに接着されている。従って、背面板部分４４の外周縁は、底板部分４２の外周と重なっている一部分を除いて底板部分４２からはみ出している。側板部分４５は、外周枠板部分４３において背面板部分４４の外周と底板部分４２の外周とが重なっている部分の上方に位置している外周面部分４３ａに接着されている。表面板部分４６はケース本体４０の上端開口である開口部４を開閉する開閉蓋５になっている。表面板部分４６が開口部４を覆っている状態では、表面板部分４６の周縁は、側板部分４５が連続している周縁部分を除いて外周枠板部分４３から外側にはみ出している。
【００４５】
図５（ｃ）に示すように、カバーシート３Ｂは、左側から、背面板部分４４と対応する平面形状を備える第１円形部分５０、側板部分４５と対応する平面形状を備える矩形部分５１、表面板部分４６と対応する平面形状を備える第３円形部分５２および第４円形部分５３を備えている。第１円形部分５０にメニュー表示部９が形成され、第３円形部分５２にゲスト名表示部７が形成され、第４円形部分５３にメッセージ表示部６が形成されている。なお、本例では、カバーシート３Ｂにパーティ名表示部は形成されていない。また、カバーシート３Ｂは接着代を備えていない。
【００４６】
席札１Ｂを製作する際には、カバーシート３Ｂのメッセージ表示部６、ゲスト名表示部７およびメニュー表示部９に、それぞれ、メッセージ、ゲスト名およびメニューを記載する。しかる後に、メッセージ表示部６が宝石箱の開閉蓋５となる表面板部分４６の内側面５ｂを覆うようにして、カバーシート３Ｂを貼り付け板４１に貼り付ける。さらに、開閉蓋５の開閉側の縁端５ｃとなる表面板部分４６の縁端で外側に折り返して、カバーシート３Ａを貼り付け板４１の外周面４１ａに貼り付けながら、収納ケース２Ａに巻き付ける。すると、ゲスト名表示部７が宝石箱の開閉蓋５となる表面板部分４６の外側面５ｄを覆い、メニュー表示部９が宝石箱の底に相当する背面板部分４４の外側面４４ａを覆った状態になる。
【００４７】
本例の席札１Ｂは、外観および美感の点で実施の形態１に係る席札１Ａとは相違するが、実施の形態１に係る席札１Ａと同様の作用効果を得ることができる。
【００４８】
［実施の形態２］
図６（ａ）は実施の形態２に係る席札の外観斜視図であり、図６（ｂ）はこの席札の開閉蓋を開けた状態を示す斜視図であり、図６（ｃ）は収納ケースに巻き付ける前の平面上に展開した状態のカバーを示す展開図である。なお、実施の形態１と対応する構成には同一の符号を付して、その説明を省略する。
【００４９】
図６（ａ）に示すように、本例の席札１Ｃは円柱形状をしている。席札１Ｃは、中空の円柱形状の収納ケース２Ｃと、この収納ケース２Ｃに巻き付けられているカバーシート３Ｃとを有している。収納ケース２Ｃおよびカバーシート３Ｃは紙製である。
【００５０】
収納ケース２Ｃは、軸線に平行な平面で２つに分割されており、容量の大きい一方の側がケース本体６０とされ、容量の小さい他方の側が開閉蓋６１とされている。開閉蓋６１は、一方の縁端６１ａを中心として開閉可能になるようにして、ケース本体６０に取り付けられている。図６（ｂ）に示すように、開閉蓋６１を開くと、ケース本体６０に形成されている記念品収納・取り出し用の開口部６２が露出する。開閉蓋６１の内側には矩形の平板６３が取り付けられており、開閉蓋６１の内側面６１ｂは平面となっている。
【００５１】
カバーシート３Ｃは、開閉蓋６１の内側面６１ｂから、開閉蓋の開閉側の縁端６１ｃで外側に折り曲げられて開閉蓋６１の外側面６１ｄを経由して、ケース本体６０の本体側の外周面６０ａを覆うように収納ケース２Ｃに巻き付けられている。カバーシート３Ｃにおいて、開閉蓋６１の内側面６１ｂを覆っている領域には、メッセージ表示部６が形成されており、開閉蓋６１の外側面６１ｂを覆っている領域には、ゲスト名表示部７が形成されている。また、カバーシート３Ｃにおいて、ケース本体６０の外周面６０ａを覆っている領域には、パーティ名表示部８、メニュー表示部９が隣接して形成されている。さらに、本例では、メニュー表示部９に隣接して、新郎新婦の新居の住所や地図を記載するための住所表示部１１が形成されている。各表示部６〜９、１１には、それぞれ、メッセージ、ゲスト名、パーティ名、メニュー、住所が記載されている。
【００５２】
図６（ｃ）に示すように、カバーシート３Ｃは、長方形であり、その幅寸法は収納ケース２Ｃの高さ寸法と同一である。カバーシート３Ｃの表面には、左側から、接着代１０、住所表示部１１、メニュー表示部９、パーティ名表示部８、ゲスト名表示部７およびメッセージ表示部６が形成されている。
【００５３】
席札１Ｃを製作する際には、カバーシート３Ｃのメッセージ表示部６、ゲスト名表示部７、パーティ名表示部８、メニュー表示部９および住所表示部１１に、それぞれ、メッセージ、ゲスト名、パーティ名、メニューおよび住所を記載する。しかる後に、カバーシート３Ｃの右側のメッセージ表示部６が開閉蓋６１の内側面６１ｂを覆うようにして、カバーシート３Ｃを平板６３に貼り付ける。さらに、開閉蓋６１の開閉側の縁端６１ｃで外側に折り返して、カバーシート３Ｃを開閉蓋６１の外側面６１ｄおよびケース本体６０の外周面６０ａに貼り付けながら、巻き付ける。すると、ゲスト名表示部７が開閉蓋６１の外側面６１ｂを覆い、パーティ名表示部８、メニュー表示部９、住所表示部１１がケース本体６０の外周面６０ａを覆った状態になる。また、接着代１０がケース本体６０の開口部６２の縁から突出するので、この接着代１０を開口部６２の内側面６２ａに向けて折り返して、接着する。
【００５４】
席札１Ｃを使用する際には、収納ケース２Ｃに記念品を収納し、開閉蓋６１を閉じる。パーティ会場では、開閉蓋６１をテーブルの外周側に向けた状態にしてセットする。
【００５５】
実施の形態２に係る席札１Ｃは、外観および美感の点で実施の形態１に係る席札１Ａとは相違しているが、実施の形態１に係る席札１Ａと同様の作用効果を得ることができる。
【００５６】
なお、メニュー表示部９、パーティ名表示部８および住所表示部１１の形成位置は相互に入れ替えることができる。また、パーティ名表示部８および住所表示部１１を省略することもできる。さらに、収納ケース２Ｃの形状は円筒形状に限られるものではない。収納ケース２Ｃを多角柱形状とした場合でも、同様に構成することができる。
【００５７】
［実施の形態３］
図７（ａ）は実施の形態３に係る席札の外観斜視図であり、図７（ｂ）はこの席札の開閉蓋を開けた状態を示す斜視図であり、図７（ｃ）は収納ケースに巻き付ける前の平面上に展開した状態のカバーを示す展開図である。
【００５８】
図７（ａ）に示すように、本例の席札１Ｄは四角錘形状をしている。席札１Ｄは、四角錘形状の収納ケース２Ｄと、この収納ケース２Ｄに巻き付けられているカバーシート３Ｄとを有している。収納ケース２Ｄおよびカバーシート３Ｄは紙製である。
【００５９】
収納ケース２Ｄは、四角錘形状のケース本体７０と、このケース本体７０に取付けられている二等辺三角形の開閉蓋７１を備えている。ケース本体７０は、四角錘の外周を構成している３枚の二等辺三角形の第１〜第３側板７２〜７４と、各側板７２〜７４の底辺の縁に取り付けられて四角錘の底を構成している正方形の底板７５を備えている。図７（ｂ）に示すように、第１側板７２と第３側板７４との間には二等辺三角形の開口部７６が形成されており、開閉蓋７１はこの開口７６を封鎖するようにして第１側板７２に取り付けられている。開閉蓋７１は一方の縁端７１ａを中心として開閉可能になっており、開閉蓋７１が開くと開口部７６が露出する。開閉蓋７１と各側板７２〜７４とは同一形状である。
【００６０】
カバーシート３Ｄは、開閉蓋７１の内側面７１ｂから、開閉蓋７１の開閉側の縁端７１ｃで外側に折り曲げられて開閉蓋７１の外側面７１ｄを経由して、ケース本体７０の本体側の外周面７０ａを覆うように収納ケース２Ｄに巻き付けられている。カバーシート３Ｄにおいて、開閉蓋７１の内側面７１ａを覆っている二等辺三角形の領域には、メッセージ表示部６が形成されており、開閉蓋７１の外側面７１ｄを覆っている二等辺三角形の領域には、ゲスト名表示部７が形成されている。また、カバーシート３Ｄにおいて、開閉蓋７１に隣接している第１側板７２を覆っている二等辺三角形の領域にはパーティ名表示部８が形成され、開閉蓋７１の反対側に位置する第２側板７３を覆っている二等辺三角形の領域にはメニュー表示部９が形成され、第２側板７３に隣接する第３側板７４を覆っている二等辺三角形の領域には住所表示部１１が形成されている。各表示部６〜９、１１には、それぞれ、メッセージ、ゲスト名、パーティ名、メニュー、住所が記載されている。
【００６１】
図７（ｃ）に示すように、カバーシート３Ｄは、扇型をしており、左側から、細長い矩形の接着代１０と第１〜第５二等辺三角形部分８１〜８５を備えている。各二等辺三角形部分８１〜８５は、開閉蓋７１および各側板７２〜７４の平面形状と対応する形状であり、斜辺が接するようにして連続している。第１二等辺三角形部分８１には住所表示部１１が形成され、第２二等辺三角形部分８２にはメニュー表示部９形成され、第３二等辺三角形部分８３にはパーティ名表示部８形成され、第４二等辺三角形部分８４にはゲスト名表示部７形成され、第５二等辺三角形部分８５にはメッセージ表示部６が形成されている。
【００６２】
席札１Ｄを製作する際には、カバーシート３Ｄのメッセージ表示部６、ゲスト名表示部７、パーティ名表示部８、メニュー表示部９および住所表示部１１に、それぞれ、メッセージ、ゲスト名、パーティ名メニューおよび住所を記載する。しかる後に、メッセージ表示部６が開閉蓋７１の内側面７１ｂを覆うようにしてカバーシート３Ｄを開閉蓋７１に貼り付ける。さらに、開閉蓋７１の開閉側の縁端７１ｃで外側に折り返して、カバーシート３Ｄを開閉蓋７１の外側面７１ｄおよびケース本体７０の外周面７０ａに貼り付けながら、巻き付ける。すると、ゲスト名表示部７が開閉蓋７１の外側面７１ｄを覆い、パーティ名表示部８が第１側板７２の外側面を覆い、メニュー表示部９が第２側板７３の外側面を覆い、住所表示部１１が第３側板７４の外側面を覆った状態になる。また、接着代１０が第３側板７４の端から外側に突出するので、接着代１０を開口部７６の内側面７６ａに向けて折り返して、接着する。
【００６３】
席札１Ｄを使用する際には、収納ケース２Ｄに記念品を収納し、開閉蓋７１を閉じる。パーティ会場では、開閉蓋７１をテーブルの外周側に向けた状態にしてセットする。
【００６４】
実施の形態３に係る席札１Ｄは、外観および美感の点で実施の形態１に係る席札１Ａとは相違しているが、実施の形態１に係る席札１Ａと同様の作用効果を得ることができる。
【００６５】
なお、メニュー表示部９、パーティ名表示部８および住所表示部１１の位置は相互に入れ替えることができる。また、パーティ名表示部８および住所表示部１１を省略することもできる。さらに、収納ケース２Ｄの形状は四角錘形状に限られるものではない。収納ケース２Ｄを多角錘形状、或いは、円錐形状とした場合でも、同様に構成することができる。
【００６６】
（その他の実施の形態）
収納ケースとしてケース本体と貼り付け板とを備えるものを採用している場合には、シートカバーを省略し、ゲスト名表示部７、パーティ名表示部８およびメニュー表示部９などを、貼り付け板に直接形成することもできる。
【００６７】
図８（ａ）は本実施の形態に係る席札の正面、平面、右側面を示す等角投影図であり、図８（ｂ）はその背面、底面、左側面を示す等角投影図であり、図８（ｃ）は開閉蓋を開けた状態を示す席札の斜視図である。図９（ａ）はケース本体に貼り付ける前の平面上に展開した状態の貼り付け板の上面を示す展開図であり、図９（ｂ）はその貼り付け板の下面を示す展開図である。なお、本形態は実施の形態１と同様の構成を備えているので、対応する構成には同一の符号を付してある。
【００６８】
図８に示すように、席札１Ｅは収納ケース２Ｅを有している。収納ケース２Ｅは、上面に矩形板状の開閉蓋５を備えており、開閉蓋５は一方の縁端５ａを中心として開閉可能になっている。収納ケース２Ｅの外観はハードカバーの書籍を彷彿させるものであり、開閉蓋５が書籍の表紙に相当する。
【００６９】
開閉蓋５を開くと開口部４が露出する。開閉蓋５の内側面５ｂにはメッセージ表示部６が形成されており、開閉蓋５の外側面５ｄにはゲスト名表示部７が形成されている。書籍の背表紙に対応する収納ケース２Ｅの正面の外側面にはパーティ名表示部８が形成されており、書籍の裏表紙に相当する収納ケース２Ｅの底面にはメニュー表示部９が形成されている。各表示部６〜９には、それぞれ、メッセージ、ゲスト名、パーティ名、メニューが記載されている。
【００７０】
収納ケース２Ｅは、収納ケース２Ａと同様の構成を備えている。すなわち、図３に示すように、ケース本体２０と、このケース本体２０に貼り付けた貼り付け板２１とを備えている。ケース本体２０は、矩形の底板部分２２と、この底板部分２２の４辺の周縁から起立している一定高さの外周枠板部分２３とを備えている。貼り付け板２１は、底板部分２２の裏面を覆い隠す状態に貼り付けられる背面板部分２４と、背面板部分２４の端から折り曲げられて外周枠板部分２３の一部を覆い隠す状態に貼り付けられる側板部分２５と、この側板部分２５の端から折り曲げられて開口部４を覆い隠す状態に配置される表面板部分２６とを備えている。
【００７１】
貼り付け板２１は、平面上に広げた場合の形状が長方形であり、背面板部分２４と側板部分２５との間、側板部分２５と表面板部分２６との間には、谷折りの折り曲げ線２７、２８が形成されている。背面板部分２４および表面板部分２６は底板部分２２よりも大きな長方形をしており、背面板部分２４と表面板部分２６とは同一の形状を備えている。側板部分２５は外周枠板部分２３の高さ寸法に対応する長さ寸法を備えた長方形をしている。
【００７２】
背面板部分２４は、３辺の縁部分が底板部分２２から外側にはみ出すようにして底板部分２２の裏面２２ａに接着される。側板部分２５は、外周枠板部分２３において底板部分２２の縁に沿って延びている外側面部分２３ａに接着される。表面板部分２６はケース本体２０の上端開口である開口部４を開閉する開閉蓋５になっている。表面板部分２６は、開口部４を覆い隠している状態では、側板部分２５に連続していない３辺の縁部分が外周枠板部分２３から外側にはみ出すように配置される。収納ケース２Ｅをハードカバーの書籍に見立てた場合には、表面板部分２６が表紙となり、側板部分２５が背表紙となり、背面板部分２４が裏表紙となる。
【００７３】
ここで、本例では、貼り付け板２１に、ゲスト名表示部７、パーティ名表示部８およびメニュー表示部９が形成されている。すなわち、図９（ａ）に示すように、表面板部分２６の上面（内側面）にはメッセージ表示部６が形成されている。図９（ｂ）に示すように、表面板部分２６、側板部分２５、背面板部分２４の下面（外側面）には、それぞれゲスト名表示部７、パーティ名表示部８およびメニュー表示部９が形成されている。
【００７４】
席札１Ｅを製作する場合には、平面上に展開した貼り付け板２１の上下の面に印刷を行い、メッセージ表示部６、ゲスト名表示部７、パーティ名表示部８およびメニュー表示部９に、それぞれメッセージ、ゲスト名、パーティ名およびメニューを記載する。しかる後に、メッセージ表示部６が形成されている上面がケース本体２０の側を向くようにして、貼り付け板２１の側板部分２５および背面板部分２４をケース本体２０に貼り付ける。これにより、開閉蓋５の内側面５ｂにメッセージ表示部６が位置し、開閉蓋５の外側面５ｄにゲスト名表示部７が位置し、収納ケース２Ｅの正面にパーティ名表示部８が位置し、収納ケース２Ｅの底面にメニュー表示部９が位置する。
【００７５】
（本形態による効果）
本例の席札１Ｅは、ハードカバーの書籍を彷彿させる外観を備えているので、高級感がある。また、テーブルにセットすると、書籍の表紙に相当する場所にゲスト名が記載されているので、ゲスト名が見易く、パーティ会場に到着した招待客が自席を把握しやすい。
【００７６】
また、本例によれば、自席に着いた招待客は、テーブルの上に置かれた書籍の表紙をめくるような自然な動作で開閉蓋５を開いて主催者からのメッセージを読むことができ、同時に、収納ケース２Ｅに収納されている記念品を見ることができる。また、メッセージや記念品は、招待客が開閉蓋５を開かなければ見ることができないので、特定の招待客だけに送ったメッセージや記念品が同席している他の招待客の目に触れてしまうこともない。さらに、招待客が料理のメニューを確認したいときには、招待客は席札を裏返すなどの簡単な操作によりメニューを見ることができる。従って、パーティの席上で、招待客の手を煩わせることがない。
【００７７】
また、本例によれば、席札１Ｅが、ゲスト名、メッセージおよびメニューを表示する各表示部６〜９を備えているので、席札１Ｅの他に、メッセージカードやメニューカードを用意する必要がない。従って、これらのカードに掛かるコストや、これらのカードをテーブルにセットするための作業コストを削減することができる。
【００７８】
さらに、ゲスト名、メッセージおよびメニューを表示する各表示部６〜９は、平面上に展開することができる貼り付け板２１の上下の面に形成されている。従って、各表示部６〜９にゲスト名、メッセージおよびメニューを印刷することが容易である。さらに、招待客毎にメッセージを変える場合には、これらの組み合わせが一枚の貼り付け板２１に印刷されるので、組み合わせを間違えて配布してしまうことがない。
【００７９】
なお、本例においても、収納ケース２Ｅをケース本体２０と貼り付け板２１とから形成する替わりに、矩形の閉鎖形状をした一定幅の枠板をケース本体として、これに貼り付け板２１を貼り付けることにより収納ケース２Ｅを構成してもよい。また、収納ケースとしては、例えば、一定深さの正多角形柱、円柱あるいは楕円柱状のものなどを採用できる。
【符号の説明】
【００８０】
１Ａ、１Ｂ、１Ｃ、１Ｄ、１Ｅ  席札
２Ａ、２Ｂ、２Ｃ、２Ｄ、１Ｅ  収納ケース
３Ａ、３Ｂ、３Ｃ、３Ｄ  カバー（カバーシート）
４、６２、７６  開口部
５、６１、７１  開閉蓋
６  メッセージ表示部
７  ゲスト名表示部
８  パーティ名表示部
９  メニュー表示部
１０  接着代
１１  住所表示部
２０、４０  ケース本体
２１、４１  貼り付け板
２２、４２  底板部分
２３、４３  外周枠板部分
２４、４４  背面板部分
２５、４５  側板部分
２６、４６  表面板部分
【図１】
2010188619.tif 000003
【図２】
2010188619.tif 000004
【図３】
2010188619.tif 000005
【図４】
2010188619.tif 000006
【図５】
2010188619.tif 000007
【図６】
2010188619.tif 000008
【図７】
2010188619.tif 000009
【図８】
2010188619.tif 000010
【図９】
2010188619.tif 000011